(57)【要約】【課題】  本発明は、データ量を削減しつつ、物体の管理に十分なデータを検出・編集・記憶する。【解決手段】  電子タグ308は、アンテナ306と、データを記憶可能なメモリ304と、アンテナを介してメモリ内のデータを外部装置へ送信する電子タグ用通信IC305とを備え、センタタグ307は、センサ301と、センサ301によって検出された状態情報を電子タグ308に書き込む情報読み書き用IC302と、時刻情報303を出力する時計とを備え、情報読み書き用IC302は、時刻情報303に沿って状態情報の変化を監視し、所定時間ごとの状態情報の変化の傾向を示すコードと、所定時間ごとの状態情報の変化の量又は度合いを示すパラメータとを状態情報としてメモリ304に書き込む。【選択図】図３
2007317042.tif 000002
【特許請求の範囲】
【請求項１】
物体に付される記憶媒体であって、
記憶回路と、
前記物体の状態又は前記物体の周囲の状態を検出する検出回路と、
前記検出回路によって検出された状態情報を前記記憶回路へ格納する処理回路とを備え、
前記処理回路は、前記状態情報を、所定時間ごとの前記状態情報の変化の傾向と前記状態情報の変化の量又は度合いとの少なくとも１つを示すデータへ変換して、前記記憶回路へ格納することを特徴とする記憶媒体。
【請求項２】
前記処理回路は、前記状態情報を、所定時間ごとの前記状態情報の変化の傾向を示すコードと前記状態情報の変化の量又は度合い示すパラメータへ変換して、前記記憶回路へ格納することを特徴とする請求項１に記載の記憶媒体。
【請求項３】
時刻計測回路を備え、
前記処理回路は、前記時刻計測回路を用いて前記所定時間を計測することを特徴とする請求項１又は２に記載の記憶媒体。
【請求項４】
前記処理回路は、前記状態情報の変化が所定条件を満たす場合に、前記記憶回路内の前記所定時間ごとの状態情報の変化の傾向と状態情報の変化の量又は度合いとの少なくとも１つを示すデータを更新することを特徴とする請求項１に記載の記憶媒体。
【請求項５】
前記記憶回路に格納された前記所定時間ごとの状態情報の変化の傾向と状態情報の変化の量又は度合いとの少なくとも１つを示すデータを前記外部装置へ送信する通信回路を備えることを特徴とする請求項１に記載の記憶媒体。
【請求項６】
前記通信回路は、前記検出回路の検出動作を制御するための制御データを外部装置から受信し、前記制御データを前記記憶回路に格納し、
前記検出回路は、前記記憶回路内の前記制御データに従って動作することを特徴とする請求項５に記載の記憶媒体。
【請求項７】
請求項５又は６に記載の記憶媒体に接続可能で、前記状態情報を管理する管理システムにおいて、
前記記憶媒体から送信された、前記記憶媒体内の識別情報と、前記所定時間ごとの状態情報の変化の傾向と状態情報の変化の量又は度合いとの少なくとも１つを示すデータとを、受信する受信装置と、
前記記憶媒体内の識別情報と、前記所定時間ごとの状態情報の変化の傾向と状態情報の変化の量又は度合いとの少なくとも１つを示すデータとを格納する記憶装置とを備えることを特徴とする管理システム。
【請求項８】
物体に付されるタグセットであって、電子タグとセンサタグを備えたタグセットにおいて、
前記電子タグは、アンテナと、データを記憶可能なメモリと、前記アンテナを介して前記メモリ内の前記データを外部装置へ送信する通信ICとを備え、
前記センタタグは、センサと、前記センサによって検出された検出データを前記電子タグに書き込む書き込みICと、時計とを備え、
前記書き込みICは、前記時計で計測された時間に沿って前記検出データの変化を監視し、所定時間ごとの前記検出データの変化の傾向を示すコードと、前記所定時間ごとの前記検出データの変化の量又は度合いを示すパラメータとを前記電子タグに書き込むことを特徴とするタグセット。
【請求項９】
前記通信ICは、前記センサタグの動作を制御するための制御データを外部装置から受信し、
前記センサタグは、前記制御データに従って動作することを特徴とする請求項８に記載のタグセット。
【請求項１０】
請求項８又は９に記載の電子タグに接続可能で、前記コードと前記パラメータを管理する管理システムにおいて、
前記電子タグから送信された、前記電子タグ内の識別情報と、前記コードと、前記パラメータとを、受信する受信装置と、
前記電子タグの識別情報と、前記センサタグの識別情報と、前記コードと、前記パラメータとを格納する記憶装置とを備えることを特徴とする管理システム。
【請求項１１】
物体に付される記憶媒体であって、
記憶回路と、
前記物体の状態又は前記物体の周囲の状態を検出する検出回路と、
前記検出回路によって検出された状態情報を前記記憶回路へ格納する処理回路と、
前記検出回路の検出動作を制御するための制御データを外部装置から受信し、前記制御データを前記記憶回路に格納する通信回路とを備え、
前記検出回路は、前記記憶回路内の前記制御データに従って動作することを特徴とする記憶媒体。
【請求項１２】
物体に付されるタグセットであって、電子タグとセンサタグを備えたタグセットにおいて、
前記電子タグは、アンテナと、データを記憶可能なメモリと、前記アンテナを介して前記メモリ内の前記データを外部装置へ送信する通信ICとを備え、
前記センタタグは、センサと、前記センサによって検出された検出データを前記電子タグに書き込む書き込みICと、時計とを備え、
前記書き込みICは、前記時計で計測された時間に沿って前記検出データを前記電子タグに書き込み、
前記通信ICは、前記センサタグの動作を制御するための制御データを外部装置から受信し、
前記センサタグは、前記制御データに従って動作することを特徴とするタグセット。
【発明の詳細な説明】
【技術分野】
【０００１】
本発明は、物体の状態や物体の周囲の状態、人の状態を収集するための記憶媒体（例えば、タグセット）及びその状態情報を管理する管理システムに係り、特に、物体に対して様々な処理作業を施すことによって製品を生産する生産システムにおいて、個々の製品の生産過程での状態等の生産管理情報を管理する管理システム、及びそれに用いられる記憶媒体（例えば、タグセット）に関する。
【背景技術】
【０００２】
生産管理システムにおいて製品・部品等の物体の動態や状態履歴などの情報を収集し蓄積するためには、生産過程の様々な位置あるいは工程において物体に個別に関連付けられた動態情報や状態情報を取得できる必要がある。そのために、個々の物体の識別情報が取得できること、および、センサ等の状態情報取得手段が存在することが必要となる。
【０００３】
センサ付きIDタグに関して、ＩＤタグに温度センサを備えたセンサ部を設け、このセンサ部のＣＰＵが、所定時間毎に温度センサが計測した温度をＥＥＰＲＯＭに書き込み、ＥＥＰＲＯＭに書き込まれた温度データを外部のリーダライタによって読み出す技術が知られている（特許文献１〜４参照）。
【０００４】
異常時前後の必要なデータを保持するものとして、トレースデータ発生機構を介して発生するトレースデータがトレースデータ収集手段によって収集され、記憶手段によって一時記憶され、その際、異常状態を解除するタイミングを得る手段であるタイマとカウンタを用い、異常トレースデータとその前後のデータを抽出し異常トレースデータ収集ファイルに格納する技術が知られている（特許文献５参照）。
【０００５】
【特許文献１】特開2001-187611号公報
【特許文献２】特開2004-217426号公報
【特許文献３】特開2005-280909号公報
【特許文献４】特開2005-265302号公報
【特許文献５】特開平5-73366号公報
【発明の開示】
【発明が解決しようとする課題】
【０００６】
センサ付きIDタグのＥＥＰＲＯＭの容量は小さいため、温度データをすべて格納するのは困難である。一方、格納すべきデータとして異常時の前後のデータだけでは、センサ付きIDタグが付された物体を管理するのに不十分な場合がある。
【０００７】
そこで、本発明は、データ量を削減しつつ、物体の管理に十分なデータを検出・編集・記憶する記憶媒体、タグセット及びそのデータを管理する管理システムを提供することを目的とする。
【０００８】
また、本発明は、スタンドアローンで検出・編集・記憶する記録媒体において、検出動作や編集動作、記憶動作を動的に変更可能な記憶媒体及びタグセットを提供することを目的とする。
【課題を解決するための手段】
【０００９】
管理対象となる場所内を流通する物体に、情報の書き込みが可能な電子タグと、この電子タグの記憶領域へ直接接続されて情報を読み書きできる手段を備えたセンサタグの両方を添付する。または、電子タグへの書き込み装置を備えたセンサタグを、電子タグと共に物体に添付する。
【００１０】
物体が流通する過程において、センサタグは自身の持つセンサによって、その物体又はその物体の周囲の状態情報を取得し、これを直接または電子タグ書き込み装置を介して電子タグの記憶領域に書き込み、蓄積する。
【００１１】
このとき、状態情報の取得および蓄積は、センサタグと電子タグによってのみ行なわれ、設備環境に設置されたセンサ等の外部の機器は利用しないのが好ましい。
【００１２】
またこのとき、電子タグに書き込まれる情報を、センサタグによって状態情報収集を行なった各時刻での状態情報と時刻の組み合わせの時系列集合とするのではなく、状態変化の傾向を表すコードと、状態の変化量や度合い（割合）を表すパラメータと、その変化傾向が現れた時刻範囲の組み合わせによって状態情報を表現するのが好ましい。
【００１３】
また、センサタグの動作を制御する動作設定を、当該センサタグに併設された電子タグ上に保持し、センサタグは必要に応じて電子タグから動作設定を読み込み、これに基づいて動作するのが好ましい。センサタグの動作設定には、センサの検出間隔などの検出動作パラメータや、状態変化の傾向を表すコードや状態の変化量や度合い（割合）を表すパラメータ、その時刻範囲の定義ファイルが含まれるのが好ましい。
【００１４】
また、電子タグとセンサタグの直接の情報のやり取りができない場合には、電子タグの個体識別情報とセンサタグの個体識別情報の関係付けを管理しておき、センサタグからの情報を環境側で受信した後、上記の個体識別情報の関係付けを利用して、環境側のサーバや端末上に存在する対応する電子タグの仮想的な記憶領域にこのセンサ情報を蓄積してもよい。
【発明の効果】
【００１５】
本発明によれば、データ量を削減しつつ、物体の管理に十分なデータを検出・編集・記憶することができる。つまり、本発明によれば、設備環境にセンサを設置する必要なく、また設備間やタグと設備の間での通信状態に依らず、リアルタイムに物品の状態情報を収集・蓄積することが可能となる。また、センサタグの物品への付け外しが容易であるため、任意の工程や場所においてのみセンサタグを添付して状態情報を収集する、といった運用が可能となる。またこのとき、電子タグに蓄積する状態情報履歴の情報量を軽減することが可能となるとともに、この情報量を状態情報収集の頻度に非依存とすることが可能となる。また、設備環境側にセンサタグとの通信を行なう情報受信装置が無くても、電子タグからの情報受信装置さえあれば状態情報を受信することが可能となる。
【００１６】
本発明によれば、スタンドアローンで検出・編集・記憶する記録媒体において、検出動作や編集動作、記憶動作を動的に変更可能である。つまり、センサタグの動作設定を変更するためにセンサタグに直接通信する装置は不要となり、電子タグの読み書きを行なう装置によってセンサタグの動作設定を変更できるようになる。また、電子タグとともに添付されるセンサタグが変更されても、特にセンサタグになんらかの操作を施すことなく、同じ動作設定により動作させることが可能となる。
【発明を実施するための最良の形態】
【００１７】
本発明の実施の形態を、生産管理システムを例として説明する。ただし、本発明は、生産管理システムに限定されるものではない。
【００１８】
図１は本発明による装置の構成例を示すものである。
【００１９】
工場内を流通する物品（被加工品など）101は、固有識別IDを持ち、物品の個別情報を書き込むことが可能な電子タグ102と、電子タグへの情報書き込み装置103を備え、バッテリ等により完全独立かつ無線で動作することが可能なセンサタグ104が添付されている。ただし、センサタグ104が、外部からの電波や電源などにより動作可能である場合は、バッテリなどは必須ではない。
【００２０】
センサタグ104は、物品101が流通する中で、設定された頻度で状態情報を取得し、取得した状態情報を随時電子タグ102に書き込み蓄積していく。
【００２１】
物品101が電子タグの読取装置105が設置してある場所に来たときには、読取装置が接続された端末106上で動作するアプリケーションプログラムによって電子タグ102に蓄積されている状態情報および識別IDが無線通信又は直接接触にて読み取られ、それらを読み取られた場所と時刻の情報と共に、状態履歴情報として端末106内に保存またはネットワークを介してデータサーバ107や他の端末108などに送信して保存する。
【００２２】
また、データサーバ107は、状態情報から状態に異常があったかどうかの判定を行なう等の情報分析処理をアプリケーションプログラムが行ない、異常があると判断された場合に警告を行う等所定の処理を実行する。
【００２３】
端末106は、ＣＰＵ（処理装置）、記憶領域を有する記憶装置（メモリ、HDDなど）、表示装置、ネットワークインターフェース（通信装置）、入力装置を備えるのが好ましい。データサーバ107は、ＣＰＵ（処理装置）、データベースを記憶する記憶装置（HDDなど）、ネットワークと通信する通信装置を備えるのが好ましい。
【実施例１】
【００２４】
本発明の第１の実施例を、製品を生産する生産システムにおける生産管理システムを例に説明する。
【００２５】
図２は、本発明の第１の実施例におけるシステムの構成例である。
【００２６】
生産工場内を流通する管理対象の物品201にはそれぞれ、識別情報が記載され、情報書き込み領域204を持つ電子タグ202が添付される。併せて物品201には、状態情報を取得するセンサ206と、電子タグへの情報書き込み装置205を備えたセンサタグ203が添付される。尚、電子タグ308及びセンサタグ307は、一体に形成されてもよい。
【００２７】
センサ206は、センサタグ203に内臓されてもよいし、外付けでもよい。センサタグ203は、状態情報の取得頻度等に関する動作設定情報213を持ち、この動作設定情報213に基づいて動作する。この動作設定情報213は、センサタグ203の記憶領域に保持しても良い。センサタグ203は、動作設定情報213を保持するためにメモリやレジスタを有する。あるいは、電子タグ202の記憶領域204に保持され、それをセンサタグ203が電子タグ読み取り装置を兼ねた書き込み装置205を用いて適宜読み込むようにしても良い。後者の場合には、センサタグ203の動作設定を行なうためにセンサタグ203と直接通信する装置は不必要となり、電子タグ202への書き込み装置によってセンサタグ203の動作設定情報213が変更可能となる。
【００２８】
動作設定情報213として保持される情報テーブルの例を図７に示す。動作設定情報213は、センサによる情報取得頻度701、通常電圧値で取得されるセンサ値から実際の値への変換式702、個々のセンサの誤差補正値703、およびその設定情報の最終更新日時704からなる。ただし、動作設定は、図7に限定されるものではない。センサタグ203の動作の可否や、動作時間、動作開始時刻なども設定可能である。
【００２９】
センサタグ203の動作設定情報213の更新の流れを図５に示す。
【００３０】
設備端末208は、設定情報の変更の必要が生じた場合、更新日時と更新後の設定値を生成し（プロセス501）、電子タグ202が通信可能領域に来るのを待ち受ける（プロセス502）。設備端末208は、通信可能領域に来たときに、現在センタタグ203上にある動作設定情報213の更新日時から既に更新済みか否かをチェックし（プロセス503）、未更新であれば動作設定情報を上書き更新する（プロセス504）。例えば、センサタグ203は、流通過程において状態情報の蓄積を必要とする領域内においてのみ物品201に添付しても良いし、動作させてもよい。
【００３１】
なお、センサタグ203と電子タグ202は必ずしも１対１で対応している必要は無く、状況に応じて自由にセンサタグ203の付け外しを行ない、あるいはその度に異なるセンサタグ203が添付されても良い。このとき、センサタグ203の動作設定情報213を電子タグ202上に保持していれば、異なるセンサタグ203が添付されても、共通の動作設定によって動作させることが可能となる。このことは、電池切れや故障などによりセンサタグ203を交換する場合においても、付け替えるセンサタグ203に特に何らかの事前設定を施すことなく、状態情報収集を継続できることを可能とする。
【００３２】
また、上記において、センサタグ203のセンサ206によって取得された状態情報を、直接電子タグ202のメモリ304に蓄積しても良い。このときの電子タグ308及びセンタタグ307のシステム構成例を図３に示す。
【００３３】
センサタグ307は、センサ301と、時刻情報303を出力する時計と、電子タグ308へ情報を書き込む情報読み書き用ＩＣとを備える。電子タグ308は、個体識別情報と状態情報とセンタタグ207の動作設定情報を格納可能なメモリ304と、電子タグ用通信ＩＣ305と、アンテナ306を備える。
【００３４】
センサタグ307と電子タグ308は、メモリ304を共有しており、センサ301によって取得された状態情報は、時刻情報303と共にメモリ304上の状態情報履歴として蓄積される。メモリ304上の情報は、電子タグ用通信IC305およびアンテナ306を介して、読み書き装置107によって読み取ることができる。
【００３５】
図４に、センサタグによる処理の流れを記す。
【００３６】
物品201が生産工場内を流通する過程において、センサタグ203は電子タグ308のメモリ内又はセンタタグ203内に格納された動作設定情報213に基づいて（プロセス401）状態情報の取得を行ない（プロセス402）、取得された状態情報を随時電子タグ202の記憶領域204に書き込み蓄積していく（プロセス404）。このとき保存される情報とは、情報取得時の状態情報と時刻情報211の組であり（プロセス403）、結果として電子タグ202には状態情報と時刻の組が状態情報履歴として時系列に沿って蓄積されていくことになる。状態情報は、例えば、物品201の温度や振動、物品201の周囲の温度などである。
【００３７】
このとき蓄積される情報の例を図６に示す。蓄積情報は例えば、状態情報値602とその情報が取得された日時601の組によって構成される。なお、この情報は、センサの種類毎などによって複数持っても良い。
【００３８】
以上により、物品201に対応する状態情報の履歴が電子タグ202に蓄積される。これらの処理は、同じ物品上に添付された電子タグ202とセンサタグ203の間のみで行なわれることであり、工場内の設備やネットワーク環境には依存しない。
【００３９】
物品201が電子タグ読み書き装置207を備えた設備端末208に近づいたときには、この設備端末208により電子タグ202内に蓄積されている状態情報の状態情報および個体識別情報が設備端末208上で動作しているアプリケーションプログラム214によって読み取られる。電子タグ202内の個体識別情報は、電子タグ202の識別情報兼物品201の識別情報である。ここで電子タグ202の情報を読み取る端末は、可搬型・無線型のものであっても良い。
【００４０】
設備端末208は、読み取られた状態情報を、個体識別情報および読み取られた設備識別情報212、場所識別情報216、時刻情報215と関連付けられて、ネットワーク210を介してデータサーバ209に送られ、そこで蓄積される。または、設備端末208上で蓄積される。ここで電子タグ202の外に蓄積された情報は、ネットワーク210を介して他のアプリケーションから必要に応じて利用される。
【００４１】
また、制御などにおいて環境設備側からセンサタグを制御する必要があるときには、電子タグ202上に保持されている動作設定を操作し、これによってセンサタグ203の動作を制御する。
【００４２】
以上により、物品の状態情報の履歴を、オンライン参照可能な形で蓄積する。
【００４３】
なお、上記システムにおいて、センサタグ203の情報を受信するための装置は特に必要とはしておらず、設備に必要なのは電子タグ202の読み書きを行なう装置のみである。そのため、既に電子タグ202を導入している場合であれば、設備的な拡張を特に必要とせずに上記システムを導入することが可能である。
【実施例２】
【００４４】
本発明の第２の実施例では、利用する電子タグの情報蓄積容量が限定的なものである場合の対応例について説明する。
【００４５】
本発明の第２の実施例におけるシステムの構成は、実施例１のものと同様である。実施例１と同様に、物品201に電子タグ202とセンサタグ203が併せて添付され、センサタグ203は随時状態情報を取得して、取得した状態情報を電子タグ202に書き込んでいく。
【００４６】
このとき、電子タグ202に、状態情報とそれを取得した時刻の組を時系列に沿って列記していくのではなく、状態情報の変動パターンを示すコードと、変動量又は変動度合いを示すパラメータによって表される状態情報変動コードに変換して書き込む。なお、状態情報の変動パターンとは、定常（ほとんど変化しない）、上昇、下降などの値の時間変化の傾向を意味し、変化量又は変動度合いは、単位時間当たり又は所定時間当たりの値の上昇量、下降量などの時間変化する値の大きさを意味する。状態情報変動コードは、状態情報の変動パターンを示すコードと、変動量又は変動度合いを示すパラメータとの何れか一方でもよい。
【００４７】
具体的には、例えば、離散的に取得される状態情報の値が、ある開始時刻Aからある終了時刻Bまでの間、微小な範囲で上下動を繰り返す定常状態（例えばコード“M”）であり、その中心値が２０、変動幅が１であった場合、電子タグ202にはそれらを表現する状態情報変動コード（例えば“M（２０，１，A，B）”というような記述）を記載する（図９（ｂ）参照）。状態情報の変動パターンと変動量と、状態情報変動コードの関係は、センサ動作設定として、メモリ304内に格納し、動的に書き換え可能であるのが好ましい。
【００４８】
図８に本実施例における処理の流れの例を示す。
【００４９】
センサタグ203が、新たに状態情報を取得した場合（ステップ301）には、まず直前までの状態情報変動コードを電子タグ202から読み取り（ステップ302）、新たな状態情報がその状態情報変動傾向に合致するものであるかどうかを判定する（ステップ303）。合致するものであれば、つまり直前までの状態情報変動傾向に対して変化がなければ、終了時刻のみをその時点のものに修正し上書きする（ステップ304）。合致しないものであった場合には、新たな状態情報変動コードを生成し（ステップ305）、電子タグ202に書き込む（ステップ306）。以上により、状態情報および時刻をすべて列記していく場合に対し、電子タグ202に書き込む情報の量を大幅に軽減することが可能となる。
【００５０】
図９に、具体的な情報量の違いの例を示す。時刻901とそのときの情報値902の組み合わせの系列で蓄積されていた状態情報履歴（図９（ａ））が、状態情報変動コード903とその開始時刻（同時に、前の状態変動傾向の終了時刻）904の組によって表現される（図９（ｂ））。
【００５１】
また、この方法によれば、電子タグに蓄積する情報量が、状態情報の取得頻度に依存しない。すなわち、１秒毎に状態情報を収集する場合でも、１時間毎に状態情報を収集する場合でも、状態情報の値の変動傾向が定常的であれば同等の情報量となる。ただし、状態情報の取得頻度を高くすると、状態観測時点が増えるため、状態情報値の異常な変化を検出できる可能性が高くなるため、結果としてこの方法によっても情報量が増えることはあり得る。
【００５２】
この方法によって電子タグ202に蓄積された情報も、実施例１の場合と同様に、設備側の電子タグ読取装置に物品が近づいた際に、設備端末208上のアプリケーションプログラムによって取得され、設備端末208上あるいはデータサーバ209に蓄積される。このとき、状態情報変動コードのまま蓄積すると、変動傾向や変動量を、蓄積された情報を参照、検索、利用する際の属性情報として用いることが可能となる。
【００５３】
また、状態情報変動コードから、その開始時刻と終了時刻の間の任意の時刻での状態情報値を近似的に算出して、その値を物品の識別ID、時刻、場所、設備等の情報と合わせて端末上あるいはデータサーバ209に蓄積することも可能である。
【００５４】
また、電子タグ202に蓄積された状態情報が読み取られ、設備端末208上あるいはデータサーバ209にその情報が蓄積された際に、電子タグ202上に蓄積された状態情報を消去して新たに状態情報の蓄積を開始することで、電子タグ202が蓄積する情報の量を軽減しても良い。
【実施例３】
【００５５】
本発明の第３の実施例では、収集された状態情報を異常検知などに利用する場合の例について説明する。
【００５６】
物品が電子タグ202の読取装置に近づき、設備端末208上のアプリケーションプログラムが電子タグ202に蓄積されている情報を読み取ると、アプリケーションプログラムは記載されている状態情報履歴、または状態情報変動コードから、状態情報の変動傾向および変動量を解釈する。それらの変動傾向および変動量から、アプリケーションプログラムが個別の定義に基づき異常状態の判定を行い、異常時には警告を発する等の所定の処理を行なう。
【００５７】
この異常判定は、電子タグに蓄積されていた情報が設備端末208上またはデータサーバ209にコピーされた後に、設備端末208上またはデータサーバ209上の状態情報を外部のアプリケーションプログラムが参照して行なっても良い。いずれの場合においても、異常検知ロジックや異常判定を行なうための閾値などを、センサタグ202あるいは電子タグ203に持たせておく必要はなく、異常判定はあくまでアプリケーションプログラムが行なう。
【００５８】
また、異常判定をセンサタグ203において状態情報取得時に行なっても良い。その場合は、センサタグ203にあらかじめ異常状態判定基準（例えば、閾値など）を登録しておき、その基準により異常と判定される状態情報を取得した際に、その状態情報に異常を表すコードを付加して電子タグ202に蓄積しておき、設備端末208によって電子タグ202から読み取られた際にその異常コードをアプリケーションが参照して所定の処理を行なう。
【実施例４】
【００５９】
本発明の第４の実施例では、センサタグによる状態情報の収集頻度を動的に変化させる場合の例について説明する。
【００６０】
実施例１と同様に、物品に電子タグ202とセンサタグ203が併せて添付され、センサタグ203は随時状態情報を取得して、取得した状態情報を電子タグ202に書き込んでいく。
【００６１】
センサタグ203が状態情報を取得する頻度（時間間隔）は、センサタグ203の動作設定情報としてセンサタグ203又は電子タグ202に設定されているが、これをセンサタグ203自身によって動的に変更させる。
【００６２】
具体的には、実施例３での異常状態判定基準の場合と同様に、状態情報の取得頻度を変化させる判定基準を動作設定情報としてセンサタグ203又は電子タグ202に持たせておき、例えば、状態情報値の変動が激しくなってきた場合には状態情報の取得頻度を高くし、変動が少なくなってきた場合には状態情報の取得頻度を少なくする、などといった操作を動作設定に施す。
【００６３】
これにより、適応的に状態情報の収集を行なうことが可能となる。
【実施例５】
【００６４】
本発明の第５の実施例では、センサタグ1007がセンサネット等を介した通信によって設備側の端末と通信を行い、センサタグ1007と電子タグ1003との間の直接の情報のやり取りがない場合について説明する。
【００６５】
図１０は、本発明の第５の実施例におけるシステムの構成例である。また、このときの設備端末1012上での処理の流れを図１１に示す。
【００６６】
端末1012またはサーバ1013上は、電子タグ1003の固有識別情報1008に対応した仮想的な電子タグのメモリ空間1010がある。
【００６７】
センサタグ1002によって得られた状態情報は、まずセンサタグ自身の記憶領域内1007に蓄積され、センサネット等を介した通信が可能な場所では、この通信により設備側の受信装置1015に送信され、受信装置上またはネットワークを介して端末1012またはサーバ1013に蓄積される（プロセス1102）。このとき、センサタグ内に蓄積される情報の例を図１２に示す。情報は、取得日時1201と、値1202の組によって構成される。
【００６８】
このとき、状態情報にセンサタグ1002の記憶領域1005に記載された個体識別情報を添付して送信し、センサタグ1002の個体識別情報と、電子タグ1003の記憶領域1008に記載されている個体識別情報の対応関係1014を参照して（プロセス1103）、対応する電子タグの端末またはサーバ上の仮想メモリ空間1010に状態情報を記録する（プロセス1104）。このとき、仮想メモリに蓄積される情報の例を図１３に示す。情報は、情報元となったセンサタグの識別情報1301、取得日時1302および、値1303の組によって構成される。
【００６９】
以上を繰り返し、端末1012またはサーバ1013上に電子タグ1003に対応した状態情報が蓄積されていき、端末1012またはサーバと1013の通信が可能であれば任意のタイミングで参照することができる。この情報は、当該電子タグ1003が電子タグ書き込み装置1009の通信範囲内に存在する際に、その電子タグ1003に書き込んでやっても良い。
【００７０】
以上により、センサタグ1002と電子タグ1003の直接の情報のやり取りが不可能な場合においても、仮想的に電子タグ1003に状態情報を蓄積していくことが可能となり、直接接続されたセンサタグと電子タグの利用のみでなく、様々なセンサタグや電子タグおよびそれらの組み合わせの混在利用が可能となる。
【００７１】
また、センサタグと電子タグの個体識別情報の関係付けの方法については、ひとつには手動であらかじめ直接関係付けを行なう方法がある。また、図３で述べたシステムのように、電子タグの識別情報をセンサタグが直接取得できる場合には、センサタグが自身の識別情報と電子タグの識別情報を組にして端末あるいはサーバに送信し、識別情報同士の関係付け情報を生成しても良い。また、特定の情報読み取りポイントにおいて、センサタグから送られる情報の受け取りと、電子タグの読み取りを同時に行い、それらの個体識別情報同士を関連付ける方法がある。このときの処理の流れの例を図１４に示す。まず、センサタグからの情報受信を待ち受け（プロセス1401）、情報を受け取ったら（プロセス1402）、その中からセンサタグの識別情報を取得し（プロセス1403）、電子タグ読取装置を制御して電子タグの読み取りを行ない（プロセス1404）、取得されたセンサタグと電子タグの識別情報を関連付けて（プロセス1405）、サーバに保存する（プロセス1406）。
【００７２】
また、別の方法として、電子タグが読み取られた位置および時刻の系列と、センサタグからの情報が取得された位置と時刻の系列を記録しておき、各々の移動経路およびその時刻系列から、同期している電子タグとセンサタグの組み合わせを取り出し、関係付ける方法がある。このとき、複数の電子タグおよびセンサタグがある程度かたまって移動している場合は、移動している電子タグおよびセンサタグの順序を併せて検出し、この順序によって電子タグとセンサタグの関係付けを行なってやっても良い。
【産業上の利用可能性】
【００７３】
本発明は、被加工品に付されるRFIDなどに利用可能である。
【図面の簡単な説明】
【００７４】
【図１】本発明を用いた生産管理システムの構成例。
【００７５】
【図２】本発明の実施例１でのシステム構成例。
【００７６】
【図３】本発明の実施例１でのセンサタグと電子タグの直接接続の例。
【００７７】
【図４】本発明の実施例１でのセンサタグの動作制御の処理の流れ。
【００７８】
【図５】本発明の実施例１での電子タグ書き込み装置制御の処理の流れ。
【００７９】
【図６】本発明の実施例１での状態情報の構成例。
【００８０】
【図７】本発明の実施例１でのセンサタグの動作設定情報の構成例。
【００８１】
【図８】本発明の実施例２での状態情報変動コード書き込み処理の流れ。
【００８２】
【図９】本発明の実施例２での状態情報変動コードと状態情報履歴の情報内容の違いの例。
【００８３】
【図１０】本発明の実施例５でのシステム構成例。
【００８４】
【図１１】本発明の実施例５での仮想的電子タグのメモリへの情報書き込み処理の流れ。
【００８５】
【図１２】本発明の実施例５でのセンサタグに蓄積する状態情報の構成例。
【００８６】
【図１３】本発明の実施例５での仮想的電子タグメモリに蓄積する状態情報の構成例。
【００８７】
【図１４】本発明の実施例５でのセンサタグと電子タグの識別情報の関係付けの処理の流れ。
【符号の説明】
【００８８】
101、201‥物品、102、202‥電子ラグ、103、205‥書き込み装置、104、203‥センサタグ、105‥読取装置、106、208‥端末、107、209‥データサーバ、108‥端末、204‥記憶領域、206‥センサ、207‥読み書き装置、210‥ネットワーク、211‥時刻情報、212‥設備識別情報、213‥動作設定情報、214‥アプリケーションプログラム、215‥時刻情報、216‥場所識別情報、301‥センサ、302‥情報読み書き用ＩＣ、303‥時刻情報、304‥メモリ、305‥電子タグ用通信ＩＣ、306‥アンテナ。
【図１】
2007317042.tif 000003
【図２】
2007317042.tif 000004
【図３】
2007317042.tif 000005
【図４】
2007317042.tif 000006
【図５】
2007317042.tif 000007
【図６】
2007317042.tif 000008
【図７】
2007317042.tif 000009
【図８】
2007317042.tif 000010
【図９】
2007317042.tif 000011
【図１０】
2007317042.tif 000012
【図１１】
2007317042.tif 000013
【図１２】
2007317042.tif 000014
【図１３】
2007317042.tif 000015
【図１４】
2007317042.tif 000016